(57)【要約】【課題】  設置が容易な屋内廃棄物処分場のガス検知システムを提供する。【解決手段】  建屋３の内部に処分ピット２が設けられた屋内廃棄物処分場のガス検知システム１１であって、前記建屋３の少なくとも１箇所に着脱可能に取り付けられるとともに、前記屋内廃棄物処分場１内のガスを採取して検知し、該検知データを送信するガス検知手段１２と、前記建屋３の外部に設けられ、前記ガス検知手段１２から送信されたガスの検知データを直接又は間接的に受信し、該受信したデータを出力する管理手段２１とを備えている。【選択図】  図１
2011232092.tif 000002
【特許請求の範囲】
【請求項１】
建屋の内部に処分ピットが設けられた屋内廃棄物処分場のガス検知システムであって、
前記建屋の少なくとも１箇所に着脱可能に取り付けられるとともに、前記屋内廃棄物処分場内のガスを採取して検知し、該検知データを送信するガス検知手段と、
前記建屋の外部に設けられ、前記ガス検知手段から送信された検知データを直接又は間接的に受信し、該受信した検知データを出力する管理手段とを備えていることを特徴とする屋内廃棄物処分場のガス検知システム。
【請求項２】
前記建屋に取り付けられ、又は前記建屋の近傍に設けられ、前記ガス検知手段から送信されたガスの検知データを受信する受信手段を備え、
前記管理手段は、前記受信手段から送信された前記ガスの検知データを受信することを特徴とする請求項１に記載の屋内廃棄物処分場のガス検知システム。
【請求項３】
前記屋内廃棄物処分場は、複数の埋立区画に区画され、前記建屋は、隣接する埋立区画相互間を移動可能に構成され、該建屋に前記ガス検知手段及び前記受信手段が着脱可能に取り付けられていることを特徴とする請求項１又は２に記載の屋内廃棄物処分場のガス検知システム。
【発明の詳細な説明】
【技術分野】
【０００１】
本発明は、屋内廃棄物処分場のガス検知システムに関する。
【０００２】
近年、廃棄物処分場の廃棄物から発生するガスによって周辺の環境が汚染されるのを防止するため、建屋内に廃棄物を貯留する処分ピットを設けた閉鎖式廃棄物処分場（屋内廃棄物処分場）が建設されている。
【０００３】
屋内廃棄物処分場は、建屋内に設けた処分ピット内に廃棄物を貯留しているため、廃棄物から発生するガスが周辺に拡散して周辺環境を汚染するおそれはない。しかし、建屋内で各種の作業を行う作業者が危険に晒されることがないようにするため、廃棄物から発生するガスの種類及びその濃度を検知し、その検知したデータに基づいて適切な対策（警報を発する、換気装置を作動させる等の対策）を採り、作業者の安全を確保する必要がある。
【０００４】
特許文献１には、屋内廃棄物処分場の廃棄物から発生するガスの種類及びその濃度を検知するガス検知システムの一例が記載されている。
このガス検知システムは、建屋内の天井部の中央部及び両側部に巻き取り装置を垂直方向及び水平方向に移動可能に設け、建屋内の天井部及び壁部に沿ってガスサンプリング管を設置し、このガスサンプリング管を巻き取り装置によって支持して垂直方向及び水平方向に移動可能とし、ガスサンプリング管の一端の吸引口を廃棄物に対向させ、他端を建屋外に引き出して、建屋と別棟のモニタリング室内に設けたポンプに接続したものである。
【０００５】
このような構成のガス検知システムにあっては、ポンプを作動させて、ガスサンプリング管の一端の吸引口を介してガスを吸引し、このガスをガスサンプリング管を介してモニタリング室内のガス検知器に導き、ガス検知器のセンサでガスの種類及びその濃度を検知し、この検知結果を示したデータをモニタリング室内の制御部に送り、取得したデータに基づいて制御部を通じて警報を発する等の対策を実行することにより、作業者の安全を確保することができる。
【先行技術文献】
【特許文献】
【０００６】
【特許文献１】特開２００５−１８６０２４号公報
【発明の概要】
【発明が解決しようとする課題】
【０００７】
ところで、特許文献１に記載のガス検知システムにあっては、ガスサンプリング管の全長が非常に長いため、発生するガスの種類及びその濃度を検知し、その検知結果に基づいて警報を発する等の対策を採るまでに時間がかかり、作業者の安全を確保することが困難になることがある。
【０００８】
また、ガスサンプリング管の設置に非常に手間がかかる上、ガスサンプリング管の内部に粉塵等が溜り易く、その粉塵等を取り除くためのメンテナンスが必要になり、その作業に手間がかかる。
【０００９】
しかも、巻き取り装置からガスサンプリング管を繰り出し、又は巻き取る際に、ガスサンプリング管が錯綜するおそれがあり、ガスサンプリング管が破損する等のトラブルが発生することがある。
【００１０】
さらに、ガスサンプリング管の全長が長いため、ガスを吸い込む際に大きな負圧が生じてガスサンプリング管が変形し、ガスの吸い込みが困難になる。さらに、ガスサンプリング管が変形した状態で巻き取り装置に巻き取られるため、更にガスの吸引が困難になる。
【００１１】
さらに、処分ピットを複数の埋立区画に区画し、隣接する埋立区画相互間で建屋（屋根）を移動可能に構成した廃棄物処分場の場合、小型の建屋の場合には、レールやクレーンを用いて建屋を埋立区画相互間で移動させることができるが、大型の建屋の場合には、レールやクレーンを用いて建屋を移動させることが困難であるため、建屋を分解して移動させ、移動後に再度組み立てる必要があるため、その作業に非常に手間がかかる。また、建屋の移動に伴ってガスサンプリング管、及びその付帯設備も分解して移動させ、移動後に組み立てる必要があるため、その作業にも非常に手間がかかる。
【００１２】
本発明は、上記のような従来の問題に鑑みなされたものであって、ガスサンプリング管を用いることなく、発生するガスの種類及びその濃度の検知を行えるとともに、構造が簡単でメンテナンスが容易であり、さらに、移動式の建屋（屋根）を備えた廃棄物処分場に適用した場合には、移動式の屋根の移動及びそれに伴う設備の移動を容易に短時間で行うことができる屋内廃棄物処分場のガス検知システムを提供することを目的とする。
【課題を解決するための手段】
【００１３】
上記のような課題を解決するために、本発明は、以下のような手段を採用している。
すなわち、本発明は、建屋の内部に処分ピットが設けられた屋内廃棄物処分場のガス検知システムであって、前記建屋の少なくとも１箇所に着脱可能に取り付けられるとともに、前記屋内廃棄物処分場内のガスを採取して検知し、該検知データを送信するガス検知手段と、前記建屋の外部に設けられ、前記ガス検知手段から送信された検知データを直接又は間接的に受信し、該受信した検知データを出力する管理手段とを備えていることを特徴とする。
【００１４】
本発明の屋内廃棄物処分場のガス検知システムによれば、ガスを採取して検知するガス検知手段を建屋の少なくとも１箇所に着脱可能に取り付けるように構成したので、ガスサンプリング管によりガスを採取するガス検知システムように、設置に時間と手間と費用がかかるようなことはなく、設置に要する時間と手間と費用を大幅に削減することができる。
また、ガスサンプリング管の全長が長いため、ガスを吸い込む際に大きな負圧が生じてガスサンプリング管が変形し、ガスの吸い込みが困難になるようなことはなく、さらに、ガスサンプリング管が変形した状態で巻き取り装置に巻き取られるため、更にガスの吸引が困難になるようなことはなく、発生するガスを確実に採取して、そのガスの種類および濃度を検知することができる。
さらに、ガス検知手段を建屋から容易に取り外すことができるので、ガス検知手段のメンテナンスを容易に行うことができる。さらに、ガス検知手段を他の場所に移動させて、メンテナンスを行うことができるので、ガス検知手段のメンテナンスを効率良く行うことができる。さらに、ガス検知手段のメンテナンスを行う場合に、メンテナンス完了済みの予備のガス検知手段を取り付けることにより、ガスの検知を中断させることなく連続して行うことができる。
【００１５】
また、本発明において、前記建屋に取り付けられ、又は前記建屋の近傍に設けられ、前記ガス検知手段から送信されたガスの検知データを受信する受信手段を備え、前記管理手段は、前記受信手段から送信された前記ガスの検知データを受信することとしてもよい。
【００１６】
本発明の屋内廃棄物処分場のガス検知システムによれば、ガス検知手段からのガスの検知データは、受信手段を介して管理手段に送信されることになる。
【００１７】
さらに、本発明において、前記屋内廃棄物処分場は、複数の埋立区画に区画され、前記建屋は、隣接する埋立区画相互間を移動可能に構成され、該建屋に前記ガス検知手段及び前記受信手段が着脱可能に取り付けられていることとしてもよい。
【００１８】
本発明の屋内廃棄物処分場のガス検知システムによれば、埋立区画相互間で移動式建屋を移動させる場合に、移動式建屋と一体にガス検知手段及び受信手段を移動させることができるので、移動式建屋の移動の際に、移動式建屋からガス検知手段等を取り外し、移動式建屋を移動させた後に、ガス検知手段等を再度取り付けるような煩雑な作業が不要となる。
【発明の効果】
【００１９】
以上、説明したように、本発明の屋内廃棄物処分場のガス検知システムによれば、ガス検知手段等の着脱を容易に行うことができるので、設置に要する時間、手間、及び費用を大幅に削減することができる。また、複数の埋立区画に区画された廃棄物処分場の埋立区画相互間で移動式建屋を移動させながら、各埋立区画に廃棄物を埋め立て処分する場合には、移動式建屋と一体にガス検知手段等を移動させることができる。
【図面の簡単な説明】
【００２０】
【図１】本発明による屋内廃棄物処分場のガス検知システムの第１の実施の形態を示した概略図である。
【図２】本発明による屋内廃棄物処分場のガス検知システムのブロック図である。
【図３】本発明による屋内廃棄物処分場ガス検知システムの第２の実施の形態を示した概略図であって、第１埋立区画への廃棄物の埋め立て処分状態を示した説明図である。
【図４】第２埋立区画への廃棄物の埋め立て処分状態を示した説明図である。
【図５】第３埋立区画への廃棄物の埋め立て処分状態を示した説明図である。
【図６】第４埋立区画への廃棄物の埋め立て処分状態を示した説明図である。
【発明を実施するための形態】
【００２１】
以下、図面を参照しながら本発明の実施の形態について説明する。
図１及び図２には、本発明による屋内廃棄物処分場のガス検知システムの第１の実施の形態が示されている。本実施の形態の屋内廃棄物処分場のガス検知システム１１は、地表面に開口する平面視矩形状の処分ピット２と、処分ピット２の上部開口を覆う固定式建屋３（周囲が壁部４で覆われ、上部が屋根７で覆われた建屋）とを備えた屋内廃棄物処分場１に適用したものである。
【００２２】
すなわち、本実施の形態の屋内廃棄物処分場のガス検知システム１１は、固定式建屋３の内部の複数箇所（壁部４、天井部６等の複数箇所）に設けられるガス検知手段１２と、固定式建屋３の内部又は外部に設けられる受信手段１７と、固定式建屋３の外部に設けられる管理手段２１とを備えている。
【００２３】
なお、本実施の形態においては、固定式建屋３の両側の壁部４ａ、４ｂの内面にガス検知手段１２を設け、前側の壁部４ｃの内面に受信手段１７を設け、一側の壁部４ａの外側の地面上に管理室２０を設置し、この管理室２０内に管理手段２１を設けている。
【００２４】
図２に示すように、ガス検知手段１２は、例えば、ガスの種類及びその濃度を検知する複数のセンサ１４を有する検知部１３と、ガスを吸引して検知部１３に導くポンプ１５と、ポンプ１５の吸引口に接続される吸引ホース（図示せず）と、検知部１３が検知したガスの検知データを無線送信する送信部１６とを備えている。ガス検知手段１２の検知部１３で検知したガスの検知データは、送信部１６から無線によって後述する受信手段１７に送信される。
【００２５】
なお、本実施の形態においては、ガス検知手段１２の検知部１３には、７種類のガス（メタンガス、水素ガス、硫化水素ガス、酸素ガス、一酸化炭素ガス、二酸化炭素ガス、アンモニアガス）及びその濃度を検知するセンサ１４が設けられている。
【００２６】
固定式建屋３の両側の壁部４ａ、４ｂ、前側の壁部４ｃ、及び後側の壁部４ｄの内面側の複数箇所には、所定の間隔ごとに複数箇所にガス検知手段１２の取付部５が設けられ、この取付部５にボルト等の取付手段（図示せず）によってガス検知手段１２が着脱可能に取り付けられる。
【００２７】
本実施の形態においては、固定式建屋３の両側の壁部４ａ、４ｂの内面側の６箇所の取付部５を利用し、これらの取付部５にそれぞれボルト等の取付手段によってガス検知手段１２を取り付け、これらのガス検知手段１２に対応する処分ピット２の部分におけるガスの種類及びその濃度を検知している。各ガス検知手段１２によって検知したガスの検知データは、各ガス検知手段１２の送信部１６から後述する受信手段１７に無線により送信される。
なお、ここで、ガスの検知データとは、ガス検知手段１２が検知したガスの種類及びその濃度の物理値、或いは、その物理値を電圧値等に変換したものを含むものとする。
【００２８】
図２に示すように、受信手段１７は、ガス検知手段１２の送信部１６から無線によって送信されたガスの検知データを受信する受信部１８と、受信部１８が受信したガスの検知データを管理手段２１に出力する制御部１９とを備えている。受信手段１７は、各ガス検知手段１２の送信部１６から送信される検知データを受信可能な場所に設置され、本実施の形態においては、固定式建屋３の前面側の壁部４ｃの内面側にボルト等の取付手段によって着脱可能に取り付けられている。
【００２９】
図１及び図２に示すように、管理手段２１は、固定式建屋３の一側の壁部４ａの外側の地面上に設置される固定式建屋３と別棟の管理室２０内に設けられ、受信手段１７の制御部１９にケーブル２３によって電気的に接続されている。管理手段２１は、受信手段１７の制御部１９から出力されたガスの検知データを出力するモニター等の表示手段２２を備え、この表示手段２２に出力されたガスの検知データに基づいて、適切な対策（警報器の作動、換気装置の作動等）が採られる。
【００３０】
上記のように構成した本実施の形態の屋内廃棄物処分場のガス検知システム１１により、処分ピット２の各部におけるガスの種類及びその濃度を検知するには、図１及び図２に示すように、固定式建屋３の壁部４ａ、４ｂの内面側の６箇所に取り付けたガス検知手段１２のポンプ１５の作動により、それに対応する処分ピット２の部分のガスを吸引ホース（図示せず）を介して吸引して検知部１３に導き、検知部１３のセンサ１４によって吸引したガスの種類及びその濃度を検知し、そのガスの検知データを送信部１６から無線によって受信手段１７の受信部１８に送信する。
【００３１】
そして、受信手段１７の受信部１８で受信したガスの検知データを制御部１９を介して管理室２０内の管理手段２１の表示手段２２に出力し、表示手段２２に出力される検知データに基づいて、適切な対策（警報器の作動、換気装置の作動等）を採る。これにより、固定建屋３内において、各種の作業を行う作業者の安全を確保することができる。
【００３２】
上記のように構成した本実施の形態の屋内廃棄物処分場のガス検知システム１１にあっては、処分ピット２の各部のガスを採取して検知しようとする場合に、ガスの採取箇所に対応する固定式建屋３の壁部４の部分にガス検知手段１２を取り付け、このガス検知手段１２によってガスを採取して検知し、この検知データを無線によって受信手段１７に送信し、受信手段１７から有線によって管理手段２１に送信し、管理手段２１の表示手段２２に出力することができる。
【００３３】
従って、ガスサンプリング管を使用したガス検知システムのように、設置に手間がかかるようなことはなく、ガス検知手段１１の設置を容易に、短時間で、多大な費用をかけることなく行うことができる。
また、ガスサンプリング管の全長が長いため、ガスを吸い込む際に大きな負圧が生じてガスサンプリング管が変形し、ガスの吸い込みが困難になるようなことはなく、さらに、ガスサンプリング管が変形した状態で巻き取り装置に巻き取られるため、更にガスの吸引が困難になるようなことはなく、発生するガスを確実に採取して、そのガスの種類および濃度を検知することができる。
【００３４】
さらに、ガス検知手段１２の検知部１３が液体を使用したものであっても、ガス検知手段１２を固定式建屋３の壁部４の取付部にボルト等の取付手段によって固定しているので、ガス検知手段１２によりガスを採取して検知する際に、ガス検知手段１２の検知部１３が振動による影響を受けるようなことはなく、所期の検知精度が得られることになる。
【００３５】
さらに、ガス検知手段１２を固定式建屋３の壁部４に設けた取付部にボルト等の取付手段によって容易に着脱させることができるので、ガス検知手段１２のメンテナンスを容易に行うことができる。さらに、ガス検知手段１２のメンテナンスを行う場合に、ガス検知手段１２を取り外した後に、メンテナンスが完了している予備のガス検知手段１２を取り付けておくことにより、ガスの検知を中断することなく連続して行うことができる。さらに、取り外したガス検知手段１２を修理工場等に搬入してメンテナンスを行うことができるので、ガス検知手段１２のメンテナンスを効率良く行うことができる。
【００３６】
図３〜図６には、本発明による屋内廃棄物処分場のガス検知システムの第２の実施の形態が示されている。
本実施の形態の屋内廃棄物処分場のガス検知システム１１は、４つの埋立区画２ａ、２ｂ、２ｃ、２ｄに区画された処分ピット２を備え、隣接する埋立区画２ａ、２ｂ、２ｃ、２ｄ相互間に移動式建屋８を移動可能に設けた廃棄物処分場１に適用したものであって、その他の構成は前記第１の実施の形態に示すものと同様である。
【００３７】
この場合、移動式建屋８は、一つの埋立区画２ａ、２ｂ、２ｃ、２ｄを覆う大きさに形成され、図中、上下に連続する埋立区画２ａと埋立区画２ｂとの間に敷設されたレール（図示せず）、埋立区画２ｃと埋立区画２ｄとの間に敷設されたレール（図示せず）上を移動可能に構成されている。また、左右に連続する埋立区画２ｃと埋立区画２ｂとの間、埋立区画２ｄと埋立区画２ａとの間で移動式建屋８を移動させる場合には、クレーン（図示せず）を用いて移動式建屋８を分解してから揚重し、左側のレールと右側のレールの相互間で移動式建屋８を移動させる。
【００３８】
上記のような移動式建屋８を備えた廃棄物処分場１に本発明の屋内廃棄物処分場のガス検知システム１１を適用する場合、図３に示すように、例えば、移動式建屋８の複数箇所（本実施の形態では両側の壁部９ａ、９ｂの内面側の６箇所）にガス検知手段１２を取り付け、前面側の壁部９ｃの内面側に受信手段１７を取り付け、移動式建屋８の前面側の壁部９ｃの外側の地面上に移動式建屋８と別棟の管理室２０を設置し、この管理室２０内に管理手段２１を設置し、管理手段２１と受信手段１７とをケーブル２３によって電気的に接続する。
【００３９】
そして、図３に示すように、第１埋立区画２ａの上部に移動式建屋８を配置し、各ガス検知手段１２の検知部１３によって第１埋立区画２ａの各部において発生するガスの種類及びその濃度を検知し、その検知した検知データを各ガス検知手段１２の送信部１６から受信手段１７の受信部１８に無線により送信し、受信手段１７の制御部１９により受信した検知データを管理手段２１に送信し、管理手段２１のモニター等の表示手段２２に出力し、表示手段２２に出力したガスの検知データに基づいて、適切な対策（警報機の作動、換気装置の作動等）を採る。これにより、移動式建屋８内において、各種の作業を行う作業者の安全を確保することができる。
【００４０】
次に、第１埋立区画２ａに廃棄物の埋め立て処分が完了した後に、図４に示すように、移動式建屋８をレールを介して第１埋立区画２ａから第２埋立区画２ｂに移動させ、第２埋立区画２ｂを移動式建屋８で覆い、この状態で、第２埋立区画２ｂへの廃棄物の埋め立て処分を行ない、この際に、各ガス検知手段１２によって第２埋立区画２ｂの各部のガスの種類及びその濃度を検知し、この検知したデータを受信手段１７を介して管理手段２１に送り、管理手段２１の表示手段２２に出力し、その出力した検知データに基づいて適切な対策（警報器を作動させる、換気装置を作動させる等）を採る。
【００４１】
そして、第２埋立区画２ｂへの廃棄物の埋め立て処分が完了した後に、図５に示すように、移動式建屋８をクレーンを用いて揚重し、右側のレールから左側のレールに移動させて、第３埋立区画２ｃを移動式建屋８によって覆い、第３埋立区画２ｃに対する廃棄物の埋め立て処分を行ない、この際に、第１埋立区画２ａ、及び第２埋立区画２ｂと同様に、第３埋立区画２ｃの各部に発生するガスの種類及びその濃度を検知し、その検知データに基づいた適切な対策を採る。
【００４２】
そして、第３埋立区画２ｃの埋め立て処分が完了した後に、図６に示すように、第３埋立区画２ｃから移動式屋根８をレールを介して第４埋立区画２ｄに移動させ、第４埋立区画２ｄに対する廃棄物の埋め立て処分を行ない、この際に、第１埋立区画２ａ、第２埋立区画２ｂ、及び第３埋立区画２ｃと同様に、第４埋立区画２ｄの各部に発生するガスの種類及びその濃度を検知し、その検知データに基づいた適切な対策を採る。
【００４３】
このようにして、処分ピット２の各埋立区画２ａ、２ｂ、２ｃ、２ｄで各種の作業を行う作業者の安全を確保しながら、複数の埋立区画２ａ、２ｂ、２ｃ、２ｄに区画された処分ピット２の全体に廃棄物を埋め立て処分することができる。
【００４４】
上記のように構成した本実施の形態による屋内廃棄物処分場のガス検知システム１１にあっても、前記第１の実施の形態に示すものと同様の作用効果を奏する他、移動式建屋８を埋立区画２ａ、２ｂ、２ｃ、２ｄ相互間で移動さる場合に、ガス検知手段１２、受信手段１７、管理手段２１を分解して移動式建屋８から取り外し、移動式建屋８の移動後に再び組み立てて取り付けるような作業が不要であるので、移動式建屋８の移動、及び移動式建屋８の移動に伴うガス検知手段１２等の移動に要する時間と手間と費用を大幅に削減することができる。
【００４５】
なお、管理手段２１は、処分ピット２の外側の地面上に固定されているので、管理手段２１と受信手段１７との間は、ケーブル２３の着脱によって容易に接続又は分離することができる。
【００４６】
なお、本実施の形態においては、本発明の屋内廃棄物処分場のガス検知システム１１を４つの埋立区画２ａ、２ｂ、２ｃ、２ｄに区画した矩形状の処分ピット２を備えた廃棄物処分場１に適用したが、３つ以下又は５つ以上の埋立区画に区画した矩形状の処分ピットを備えた廃棄物処分場に適用してもよい。また、矩形状の処分ピットに限らず、円形状の処分ピットを備えた廃棄物処分場に本発明を適用してよい。円形状の処分ピットに適用する場合には、処分ピットを扇形状の複数の埋立区画に区画し、移動式建屋を各埋立区画を覆う扇形状の屋根を備えたものとし、この移動式建屋を処分ピットの周方向に移動させながら、各埋立区画に対して廃棄物の埋め立て処分を行うように構成すればよい。
【００４７】
また、前記各実施の形態においては、ガス検知手段からのガスの検知データを受信手段を介して管理手段に送信したが、ガス検知手段からのガスの検知データを受信手段を介さずに管理手段に直接又は間接的に送信するように構成してもよい。
【００４８】
さらに、前記各実施の形態においては、固定式建屋３の内部の複数箇所、移動式建屋８の内面側の複数箇所にガス検知手段１２を取り付けたが、固定式建屋３の内部の１箇所、及び移動式建屋８の内面側の１箇所にガス検知手段１２を取り付けてもよい。
【００４９】
さらに、前記各実施の形態においては、固定式建屋３の内部、及び移動式建屋８の内面側にガス検知手段１２を取り付けたが、固定式建屋３の外部、及び移動式建屋８の外面側にガス検知手段１２の検知部１３を取り付け、吸引ホースを固定式建屋３の内部及び移動式建屋８の内部に挿入するように構成してもよい。
【００５０】
さらに、前記各実施の形態においては、固定式建屋３の内部、及び移動式建屋８の内面側に受信手段１７を取り付けたが、固定式建屋３の外部、及び移動式建屋８の外面側に受信手段１７を取り付け、又は固定式建屋３の近傍、及び移動式建屋８の近傍に受信手段１７を設けてもよい。
【００５１】
さらに、前記各実施の形態において、固定式建屋３及び移動式建屋８の周囲に移動可能に台車等の移動手段を配置し、この移動手段にガス検知手段１２及び受信手段１７を設けることにより、移動手段に追従してガス検知手段１２及び受信手段１７を移動可能に構成してもよい。この場合には、移動手段に設けたガス検知手段１２の吸引ホースを固定式建屋３及び移動式建屋８の内部に挿入することにより、発生するガスの種類及びその濃度を検知することになる。
【符号の説明】
【００５２】
１  屋内廃棄物処分場
２  処分ピット
２ａ  第１埋立区画
２ｂ  第２埋立区画
２ｃ  第３埋立区画
２ｄ  第４埋立区画
３  固定式建屋
４  壁部
４ａ  壁部（一側）
４ｂ  壁部（他側）
４ｃ  壁部（前面）
４ｄ  壁部（後面）
５  取付部
６  天井部
７  屋根
８  移動式建屋
９  壁部
９ａ  壁部（一側）
９ｂ  壁部（他側）
９ｃ  壁部（前面）
１１  ガス検知システム
１２  ガス検知手段
１３  検知部
１４  センサ
１５  ポンプ
１６  送信部
１７  受信手段
１８  受信部
１９  制御部
２０  管理室
２１  管理手段
２２  表示手段
２３  ケーブル
【図１】
2011232092.tif 000003
【図２】
2011232092.tif 000004
【図３】
2011232092.tif 000005
【図４】
2011232092.tif 000006
【図５】
2011232092.tif 000007
【図６】
2011232092.tif 000008